(57)【要約】      （修正有）【課題】大きさを大幅に減らすことができるうえ、各成形室別に圧力分布を均一に制御することができる被成形物の加圧成形装置を提供する。【解決手段】加圧成形装置１００は、多数の仮成形ブレーキパッドの収容された安着金型２０が側方から挿入配置され、前記安着金型２０と向き合うように配置された多数の成形加圧部３０が前記安着金型２０の方向に昇降しながら、安着金型２０に収容された被成形物を熱加圧するものであって、前記成形加圧部３０が昇降するように独立して作動する多数の昇降シリンダー４０、前記各昇降シリンダー４０を昇降駆動するように油圧または空圧を提供する多数の圧力シリンダー５０、および前記各圧力シリンダー５０を個別に動作させるための動力を伝達する多数の駆動手段６０を含んでなる。【選択図】図１
0003203534.tif 000002
【実用新案登録請求の範囲】
【請求項１】
多数の被成形物が収容された安着金型が側方から挿入配置され、前記安着金型と向き合うように配置された多数の成形加圧部が前記安着金型の方向に昇降しながら、前記安着金型に収容された被成形物を熱加圧するための被成形物の加圧成形装置において、
前記成形加圧部が昇降するように独立して作動する多数の昇降シリンダーと、
前記各昇降シリンダーを昇降駆動するように油圧または空圧を提供する多数の圧力シリンダーと、
前記各圧力シリンダーを個別に動作させるための動力を伝達する多数の駆動手段とを含んでなることを特徴とする、被成形物の加圧成形装置。
【請求項２】
多数の被成形物が収容された安着金型が側方から挿入配置され、前記安着金型と向き合うように配置された多数の成形加圧部が前記安着金型の方向に昇降しながら、前記安着金型に収容された被成形物を熱加圧するための被成形物の加圧成形装置において、
前記成形加圧部が昇降するように独立して作動する多数の昇降シリンダーと、
前記各昇降シリンダーを昇降駆動するように油圧または空圧を提供する駆動手段とを含んでなることを特徴とする、被成形物の加圧成形装置。
【請求項３】
前記安着金型の上側には、前記被成形物の上側を支持するための支持部が配置され、
前記安着金型の下側には、前記被成形物の下側を加圧するための前記成形加圧部が配置され、
前記成形加圧部は、前記安着金型を前記支持部の方向に移動させ、前記安着金型に収容された被成形物が加圧されるようにすることを特徴とする、請求項１または２に記載の被成形物の加圧成形装置。
【請求項４】
前記成形加圧部は、前記安着金型の上側に配置される上側成形加圧部、および前記安着金型の下側に配置される下側成形加圧部を含み、
前記昇降シリンダーは、前記上側成形加圧部を下方に加圧させる上側昇降シリンダー、および前記下側成形加圧部を上方に加圧させる下側昇降シリンダーを含むことを特徴とする、請求項１または２に記載の被成形物の加圧成形装置。
【請求項５】
前記安着金型の下側には、前記被成形物の下側を支持するための支持部が配置され、
前記安着金型の上側には、前記被成形物の上側を加圧するための前記成形加圧部が配置され、
前記成形加圧部は、前記支持部の方向に移動しながら、前記安着金型に収容された被成形物を加圧させることを特徴とする、請求項１または２に記載の被成形物の加圧成形装置。
【請求項６】
前記駆動手段は、
駆動源としての駆動モーターと、
前記駆動モーターによって回転する回動軸と、
回転する前記回動軸に沿って両方に移動可能な移動部と、
前記移動部の移動に応じて連動して前記圧力シリンダーに加圧力を提供する加圧ロッドを含んでなることを特徴とする、請求項１に記載の被成形物の加圧成形装置。
【請求項７】
前記圧力シリンダーは前記昇降シリンダーよりも薄くて長く形成され、
前記圧力シリンダーからの加圧力の供給を受けるように連結された前記昇降シリンダーは前記圧力シリンダーよりも厚くて短く形成されるが、前記圧力シリンダーよりも短いストローク長さを持つように構成され、
前記圧力シリンダーの長いストロークによる加圧力が前記昇降シリンダーの短いストロークで伝達されることを特徴とする、請求項６に記載の被成形物の加圧成形装置。
【請求項８】
前記駆動手段は、
前記各昇降シリンダーにエアまたはオイルを供給する流体供給部と、
前記流体供給部を介して供給されるエアまたはオイルの量を調節する圧力調節部とを含むことを特徴とする、請求項２に記載の被成形物の加圧成形装置。
【請求項９】
前記成形加圧部と前記昇降シリンダーとの間に昇降加圧部が備えられ、前記昇降加圧部の一側と他側にそれぞれ前記成形加圧部と前記昇降シリンダーが連結され、
前記昇降シリンダーが前記昇降加圧部を加圧させると、前記昇降加圧部に連結された多数の前記成形加圧部が、前記安着金型に収容された多数の前記被成形物を加圧することを特徴とする、請求項１または２に記載の被成形物の加圧成形装置。
【請求項１０】
前記昇降加圧部に連結される前記成形加圧部または前記昇降シリンダーは１つまたは複数で構成されることを特徴とする、請求項９に記載の被成形物の加圧成形装置。
【請求項１１】
前記安着金型の上方または下方の多数の位置には、各領域別の被成形物に加わる圧力を測定するための多数の圧力測定部と、前記圧力測定部の測定値の入力を受ける制御部をさらに含み、
前記制御部は、前記圧力測定部から入力された各領域別の加圧力が基準値に比べて高い或いは低い当該領域に対応する前記成形加圧部を昇降させるように前記駆動手段を制御することにより、前記成形加圧部が当該領域の加圧力を減少または増大させることを特徴とする、請求項１または２に記載の被成形物の加圧成形装置。
【請求項１２】
前記圧力測定部はロードセルまたは圧力センサーを含むことを特徴とする、請求項１１に記載の被成形物の加圧成形装置。
【請求項１３】
前記成形加圧部が上下方に繰り返し移動するように前記駆動手段を制御する制御部をさらに含み、
前記成形加圧部が上下方に繰り返し移動すると、前記安着金型内のガスが外部へ排出されることを特徴とする、請求項１または２に記載の被成形物の加圧成形装置。
【請求項１４】
内部の粉塵またはガスを吸入するための空気吸入部と、
前記空気吸入部から吸入された粉塵またはガスを外部へ排出するための排気パイプとをさらに備えることを特徴とする、請求項１または２に記載の被成形物の加圧成形装置。
【請求項１５】
前記安着金型の上方または下方には加熱のためのヒーター部が備えられることを特徴とする、請求項１または２に記載の被成形物の加圧成形装置。
【請求項１６】
前記ヒーター部は面状発熱体を含んで構成され、
前記面状発熱体は、
前記安着金型の上面または下面の方向に配置される水平部、および
前記安着金型の側方部を向いて配置される枠部を含んでなることを特徴とする、請求項１５に記載の被成形物の加圧成形装置。
【請求項１７】
前記昇降シリンダーの移動距離または位置を検出する距離検出センサーをさらに含むことを特徴とする、請求項１または２に記載の被成形物の加圧成形装置。
【請求項１８】
前記昇降シリンダーに加わる油圧または空圧の圧力を検出する圧力センサーをさらに含むことを特徴とする、請求項１または２に記載の被成形物の加圧成形装置。
【考案の詳細な説明】
【技術分野】
【０００１】
本考案は、被成形物の加圧成形装置に係り、より詳しくは、仮成形ブレーキパッドなどの被成形物を熱加圧成形し、最終成形完成された成形物を製造するための被成形物の加圧成形装置において、加圧手段としての多数の昇降シリンダーを個別駆動手段によって独立して作動するようにすることにより、その大きさを大幅に減らすことができるうえ、各成形室別に圧力分布を均一に制御することができる、被成形物の加圧成形装置に関する。
【背景技術】
【０００２】
一般に、車両用ブレーキパッドは、仮成形機を用いてバックプレートの一面に摩擦材を仮成形して仮成形ブレーキパッドなどの被成形物を製造し、仮成形ブレーキパッドは、主成形機を用いて熱加圧成形して完成品を得るようにしている。
【０００３】
このような車両用ブレーキパッドの成形時には、同時に多数個を成形してこそ生産性の向上を期待することができ、更に、成形過程で適切な熱を加えてこそ、摩擦材が含んでいる各種樹脂類の硬化により硬度、比重、接着強度および圧縮量などを満足する所望の物性を持つことができる。
【０００４】
したがって、従来も、車両用ブレーキパッドの成形時に仮成形と主成形を厳しく区分して、仮成形機を用いた仮成形の際には、およそ３００〜４００ｋｇｆ／ｃｍ２の圧力を有するメインシリンダーが、平板型モールドの成形室に供給された粉末化原材料を低圧で約７秒間加圧することにより、摩擦材の基本的な形態を保持する仮成形品を得るようにし、得られた仮成形品は、主成形機の平板型モールドの成形室に供給し、５００〜６００ｋｇｆ／ｃｍ２の圧力を持つメインシリンダーがおよそ２００〜３００秒間高圧で加圧して摩擦材の完全な成形が行われるようにするとともに、摩擦材に約１５０℃の熱を加えることにより、摩擦材が含んでいる各種樹脂類の硬化が行われるようにして、所望の物性を満たす車両用ブレーキパッドを得るようにしている。
【０００５】
一方、従来の主成形機の場合、成形室が多数個形成されるため加圧成形の際にその分の大きな力を必要とするので、メインシリンダーとして一般に推力５００トン以上およびサイズ５〜６ｍの大型昇降シリンダーが採用されている。
【０００６】
しかし、現在標準仕様で製作販売されている油圧シリンダーは、最大３００トンであって、それ以上の場合には注文製作して使用する。このとき、主要部品であるオイルシールやパッキンなどは、製作の際に高度の技術を要する精密部品であって、技術力に優れた一部の特定の国のみで生産されて高価で取引されるため、全体的な製造コストの上昇をもたらす。しかも、メインシリンダーが大型であってメンテナンス作業が難しいうえ、部品のコストが高くてメンテナンス費用が高いという問題点があった。
【０００７】
さらに、前記メインシリンダーはＲＡＭシリンダーの形態を使用するもので、別途の油圧タンクおよび油圧ポンプが必須的に備えられなければならないから、設置空間がもっと大きくなって空間活用率が低下するしかないという問題点があった。
【０００８】
特に、成形型は多数の成形室を備えており、広い面積を持つが、メインシリンダーは上部モールドの中央部に連結されて全体的に加圧力が与えられるので、メインシリンダーによる熱加圧成形の際に、メインシリンダーが連結される中央部には正常な加圧力が作用するが、メインシリンダーから離れるほど加圧力が益々弱化していくため、各成形室別の加圧力の差に起因する品質の不均一およびこれによる不良製品の量産などの問題点があった。
【先行技術文献】
【特許文献】
【０００９】
【特許文献１】韓国公開特許第１０−２０１１−００２３２１０号
【考案の概要】
【考案が解決しようとする課題】
【００１０】
本考案は、上述した問題点を解決するためのもので、その目的は、仮成形機によって仮成形されたブレーキパッドなどの被成形物を熱加圧成形し、成形完成されたブレーキパッドなどの成形品を製造するための被成形物の加圧成形装置において、加圧手段としての多数の昇降シリンダーを個別駆動手段によって独立して作動するようにすることにより、その大きさを従来よりも１／３以下に大幅に減らすことができる、被成形物の加圧成形装置を提供することにある。
【００１１】
本考案の他の目的は、多数のロードセルや距離検出センサーの設置によって、個別駆動手段の駆動パワーを個別に制御して圧力分布を均一に制御することができるため、各成形室別の加圧力の差に起因する品質の不均一問題およびこれによる不良製品の量産を防止することができる、被成形物の加圧成形装置を提供することにある。
【００１２】
本考案の別の目的は、前記昇降シリンダーの昇降駆動のために、従来と同じ油圧タンクおよび油圧ポンプを使用する代わりに簡単に駆動モーターを使用することにより、装置の体積を縮小させるとともに、仮成形製品の特性に応じる成形幅（距離）、圧力大きさおよび温度を高精度かつ迅速に制御することができるため、製品品質および生産性の向上を確保することができるとともに、空間活用率を高めながら容易なメンテナンスを図ることができる、被成形物の加圧成形装置を提供することにある。
【００１３】
本考案の別の目的は、大きなストロークによる圧力シリンダーおよび小さなストロークによる昇降シリンダーにより行われる二重連結動作によって小型化を図ることができる、被成形物の加圧成形装置を提供することにある。
【課題を解決するための手段】
【００１４】
上記目的を達成するために、本考案は、多数の被成形物が収容された安着金型が側方から挿入配置され、前記安着金型と向き合うように配置された多数の成形加圧部が前記安着金型の方向に昇降しながら、前記安着金型に収容された被成形物を熱加圧するための被成形物の加圧成形装置において、前記成形加圧部が昇降するように独立して作動する多数の昇降シリンダーと、前記各昇降シリンダーを昇降駆動するように油圧または空圧を提供する多数の圧力シリンダーと、前記各圧力シリンダーを個別に動作させるための動力を伝達する多数の駆動手段とを含んでなることを特徴とする、被成形物の加圧成形装置を提供する。
【００１５】
また、本考案は、多数の被成形物が収容された安着金型が側方から挿入配置され、前記安着金型と向き合うように配置された多数の成形加圧部が前記安着金型の方向に昇降しながら、前記安着金型に収容された被成形物を熱加圧するための被成形物の加圧成形装置において、前記成形加圧部が昇降するように独立して作動する多数の昇降シリンダー、および前記各昇降シリンダーを昇降駆動するように油圧または空圧を提供する駆動手段を含んでなることを特徴とする、被成形物の加圧成形装置を提供する。
【００１６】
また、前記安着金型の上側には、前記被成形物の上側を支持するための支持部が配置され、前記安着金型の下側には、前記被成形物の下側を加圧するための前記成形加圧部が配置され、前記成形加圧部は、前記安着金型を前記支持部の方向に移動させ、前記安着金型に収容された被成形物が加圧されるようにすることを特徴とする、被成形物の加圧成形装置を提供する。
【００１７】
また、前記成形加圧部は、前記安着金型の上側に配置される上側成形加圧部、および前記安着金型の下側に配置される下側成形加圧部を含み、前記昇降シリンダーは、前記上側成形加圧部を下方に加圧させる上側昇降シリンダー、および前記下側成形加圧部を上方に加圧させる下側昇降シリンダーを含むことを特徴とする、被成形物の加圧成形装置を提供する。
【００１８】
また、前記安着金型の下側には、前記被成形物の下側を支持するための支持部が配置され、前記安着金型の上側には、前記被成形物の上側を加圧するための前記成形加圧部が配置され、前記成形加圧部は、前記支持部の方向に移動しながら、前記安着金型に収容された被成形物を加圧させることを特徴とする、被成形物の加圧成形装置を提供する。
【００１９】
また、前記駆動手段は、駆動源としての駆動モーター、前記駆動モーターによって回転する回動軸、回転する前記回動軸に沿って両方に移動可能な移動部、および前記移動部の移動に応じて連動して前記圧力シリンダーに加圧力を提供する加圧ロッドを含んでなることを特徴とする、被成形物の加圧成形装置を提供する。
【００２０】
また、前記圧力シリンダーは前記昇降シリンダーよりも薄くて長く形成され、前記圧力シリンダーからの加圧力の供給を受けるように連結された前記昇降シリンダーは前記圧力シリンダーよりも厚くて短く形成されるが、前記圧力シリンダーよりも短いストローク長さを持つように構成され、前記圧力シリンダーの長いストロークによる加圧力が前記昇降シリンダーの短いストロークで伝達されることを特徴とする、被成形物の加圧成形装置を提供する。
【００２１】
また、前記駆動手段は、前記各昇降シリンダーにエアまたはオイルを供給する流体供給部；および前記流体供給部を介して供給されるエアまたはオイルの量を調節する圧力調節部を含むことを特徴とする、被成形物の加圧成形装置を提供する。
【００２２】
また、前記成形加圧部と前記昇降シリンダーとの間に昇降加圧部が備えられるが、前記昇降加圧部の一側と他側にそれぞれ前記成形加圧部と前記昇降シリンダーが連結され、前記昇降シリンダーが前記昇降加圧部を加圧させると、前記昇降加圧部に連結された多数の前記成形加圧部が、前記安着金型に収容された多数の前記被成形物を加圧することを特徴とする、被成形物の加圧成形装置を提供する。
【００２３】
また、前記昇降加圧部に連結される前記成形加圧部または前記昇降シリンダーは１つまたは複数で構成されることを特徴とする、被成形物の加圧成形装置を提供する。
【００２４】
また、前記安着金型の上方または下方の多数の位置には、各領域別の被成形物に加わる圧力を測定するための多数の圧力測定部と、前記圧力測定部の測定値の入力を受ける制御部をさらに含み、前記制御部は、前記圧力測定部から入力された各領域別の加圧力が基準値に比べて高い或いは低い当該領域に対応する前記成形加圧部を昇降させるように前記駆動手段を制御することにより、前記成形加圧部が当該領域の加圧力を減少または増大させることを特徴とする、被成形物の加圧成形装置を提供する。
【００２５】
また、前記圧力測定部はロードセルまたは圧力センサーを含むことを特徴とする、被成形物の加圧成形装置を提供する。
【００２６】
また、前記成形加圧部が上下方に繰り返し移動するように前記駆動手段を制御する制御部をさらに含み、前記成形加圧部が上下方に繰り返し移動すると、前記安着金型内のガスが外部へ排出されることを特徴とする、被成形物の加圧成形装置を提供する。
【００２７】
また、内部の粉塵またはガスを吸入するための空気吸入部、および前記空気吸入部から吸入された粉塵またはガスを外部へ排出するための排気パイプをさらに備えることを特徴とする、被成形物の加圧成形装置を提供する。
【００２８】
また、前記安着金型の上方または下方には加熱のためのヒーター部が備えられることを特徴とする、被成形物の加圧成形装置を提供する。
【００２９】
また、前記ヒーター部は面状発熱体を含んでなり、前記面状発熱体は、前記安着金型の上面または下面の方向に配置される水平部、および前記安着金型の側方部を向いて配置される枠部を含んでなることを特徴とする、被成形物の加圧成形装置を提供する。
【００３０】
また、前記昇降シリンダーの移動距離または位置を検出する距離検出センサーをさらに含むことを特徴とする、被成形物の加圧成形装置を提供する。
【００３１】
また、前記昇降シリンダーに加わる油圧または空圧の圧力を検出する圧力センサーをさらに含むことを特徴とする、被成形物の加圧成形装置を提供する。
【考案の効果】
【００３２】
本考案に係る被成形物の加圧成形装置によれば、仮成形ブレーキパッドなどの被成形物を熱加圧成形し、最終成形された成形物を製造するための被成形物の加圧成形装置において、加圧手段としての多数の昇降シリンダーを個別駆動手段によって独立して作動するようにすることにより、従来と同じ高価な５００トン以上の推力を持つ５〜６ｍの大型昇降シリンダーを１／３以下の大きさに大幅に減らしながらも加圧力はそのまま維持することができるため、非常に経済的であるという効果がある。
【００３３】
本考案の多数のロードセルまたは距離検出センサーの設置によって、個別駆動手段の駆動力を個別に制御して圧力分布を均一に制御することができるため、各成形室別の加圧力の差に起因する品質の不均一問題およびこれによる不良製品の量産を防止することができるという効果もある。
【００３４】
また、前記昇降シリンダーの昇降駆動のために、従来と同じ油圧タンクおよび油圧ポンプを使用する代わりに簡単に駆動モーターを使用することにより、装置の体積を縮小させるとともに、仮成形製品の特性に応じる成形幅（距離）、圧力大きさおよび温度を高精度かつ迅速に制御することができるため、製品の品質を確保することができるとともに、空間活用率を高めながらもより容易なメンテナンスを図ることができるという効果もある。
【００３５】
また、大きなストロークによる圧力シリンダーおよび小さなストロークによる昇降シリンダーにより行われる二重連結動作によって小型化が可能であるという効果もある。
【００３６】
また、成形加圧部を上下方に繰り返し移動させることにより、ブレーキパッドを加圧する過程で発生するガスを安着金型の成形室の外部へ容易に抜くことができるという効果がある。
【図面の簡単な説明】
【００３７】
【図１】本考案に係る被成形物の加圧成形装置を示す側面図である。
【図２】本考案に係る被成形物の加圧成形装置を示す斜視図である。
【図３】成形完了した車両用ブレーキパッドを示す斜視図である。
【図４】図１の「Ａ」部分の拡大図である。
【図５】本考案に係る被成形物の加圧成形装置の概略的な分解図である。
【図６】本考案に係る被成形物の加圧成形装置の成形部を示す斜視図である。
【図７】本考案に係る被成形物の加圧成形装置の駆動部およびロードセルによる駆動制御状態を示す斜視図である。
【図８】本考案に係る被成形物の加圧成形装置の駆動動作状態を示す概略的な動作状態図である。
【図９】本考案に係る被成形物の加圧成形装置の昇降加圧部の他の例を示す概略図である。
【図１０】本考案の一実施形態に係る被成形物の加圧成形装置に備えられる距離検出センサーと圧力センサーを説明するために示す概略図である。
【図１１】本考案の他の実施形態に係る被成形物の加圧成形装置を示す側面図である。
【図１２】本考案の他の実施形態に係る被成形物の加圧成形装置の成形部を示す斜視図である。
【図１３】図１１の「Ｂ」部分の拡大図である。
【図１４】本考案の他の実施形態に係る被成形物の加圧成形装置の成形部の昇降駆動状態を示す部分斜視図である。
【図１５】本考案の他の実施形態に係る被成形物の加圧成形装置の成形部を示す断面図である。
【図１６】本考案の他の一実施形態に係る被成形物の加圧成形装置の駆動手段を説明するために概略的に示す図である。
【考案を実施するための形態】
【００３８】
以下、本考案の属する技術分野における通常の知識を有する者が本考案を容易に実施し得る程度に詳細に説明するために、本考案の最も好適な実施形態を添付図面に基づいて詳細に説明する。
【００３９】
ここで、本考案の全般にわたって熱加圧成形するための被成形物として、後述するように車両用ブレーキパッド、すなわち仮成形ブレーキパッドについて説明しているが、本考案において加圧成形するための被成形物として車両用ブレーキパッドにのみ限定されるのではなく、本考案の加圧成形装置は、様々な種類や形態を有する各種樹脂被成形物などにも制限されることなく同様に適用できる。説明の便宜のために、各種被成形物の用語を車両用ブレーキパッドと通称して説明していることを理解すべきであろう。
【００４０】
図１は本考案に係る被成形物の加圧成形装置を示す側面図である。
【００４１】
図１に示すように、本考案の一実施形態に係る被成形物の加圧成形装置１００は、多数の仮成形ブレーキパッド１（図３参照）の収容された安着金型２０が側方から挿入配置され、前記安着金型２０と向き合うように配置された多数の成形加圧部３０が前記安着金型２０の方向に昇降しながら、安着金型２０に収容された被成形物を熱加圧するものであって、前記成形加圧部３０が昇降するように独立して作動する多数の昇降シリンダー４０、前記各昇降シリンダー４０を昇降駆動するように油圧または空圧を提供する多数の圧力シリンダー５０、および前記各圧力シリンダー５０を個別に動作させるための動力を伝達する多数の駆動手段６０を含んでなる。
【００４２】
安着金型２０は、前記仮成形ブレーキパッド１が配置される多数の成形室２１を含む。
【００４３】
また、本考案は、前記安着金型２０の上方に配置され、前記仮成形ブレーキパッド１の上側を支持する支持部１１が設けられる上部金型１０をさらに含むことができる。
【００４４】
また、前記安着金型２０の上方に配置される上部金型１０には加熱のためのヒーター部１２を含み、前記安着金型２０の下方にも加熱のための他のヒーター部２２を含むことが好ましい。前記ヒーター部１２、２２は面状発熱体を含んで構成され、該面状発熱体は、それぞれ前記安着金型２０の上面または下面の方向に配置される水平部１２ａ、２２ａ、および前記安着金型２０の側方部を向いて配置される枠部１２ｂ、２２ｂを含んでなる。
【００４５】
成形加圧部３０は、前記安着金型２０が配置された下側に仮成形ブレーキパッド１の下側を加圧するように配置され、上方に移動しながら加圧する。成形加圧部３０は、その下側に位置する略板状の昇降加圧部４１によって昇降する。図示した例では、板状の昇降加圧部４１の形態を示しているが、本考案においてはその形状を限定しない。前記昇降加圧部４１には前記成形加圧部３０が１つまたは多数個（図示した例では２つ）形成でき、その個数は限定されない。
【００４６】
昇降シリンダー４０は、前記昇降加圧部４１を昇降させ、図示した例では２つの昇降シリンダー４０を示しているが、実際、後方側に多数個が形成できる。
【００４７】
圧力シリンダー５０は、前記昇降シリンダー４０よりも薄くて長い形状をし、大きなストローク長さを有し、前記圧力シリンダー５０からの加圧力の供給を受けるように連結された前記昇降シリンダー４０は、前記圧力シリンダー５０よりも厚くて短い形状をし、小さなストローク長さを持つようにして、前記圧力シリンダー５０における大きなストロークによる加圧力が前記昇降シリンダー４０に供給されながら、相対的に大きな加圧力の小さなストロークで外部加圧されるようにすることが好ましい。このように大きなストロークによる圧力シリンダー５０および小さなストロークによる昇降シリンダー４０により行われる二重連結動作によって小型化が可能であるという利点がある。
【００４８】
駆動手段６０は、駆動源としての駆動モーター６５、前記駆動モーター６５によって回転するボールスクリュー形態の回動軸６３、前記回動軸６３が回転すると、前記回動軸に沿って両方向に移動可能な移動部６２、および前記移動部６２の移動に伴って連動し、前記圧力シリンダー５０に加圧力を提供する加圧ロッド６１を含んで構成される。駆動手段６０は、前記ボールスクリュー形態の回動軸６３の回転により前記移動部６２が水平移動できるように前記移動部６２の下端に設けられる水平移動レール６４をさらに含むことができる。
【００４９】
また、本考案は、内部の粉塵またはガスを吸入するための空気吸入部８０、および前記空気吸入部８０から吸入された粉塵またはガスを外部へ排出するための排気パイプ８１をさらに備えることができある。
【００５０】
更に、前記安着金型２０の上方または下方の多数の位置には、成形室２１の各領域別に仮成形ブレーキパッド１に加わる圧力を測定するための多数のロードセル７０を備えることができる。
【００５１】
また、本考案の一実施形態に係る被成形物の加圧成形装置１００の左側部には支持台２が配置され、安着金型２０を加圧成形の前後に支持することができるようになっている。
【００５２】
図２は本考案に係る被成形物の加圧成形装置を示す斜視図である。
【００５３】
図２に示すように、本考案の一実施形態に係る被成形物の加圧成形装置１００は、略六角フレーム形状の外形を有する。
【００５４】
また、上側には固定された状態の上部金型１０が配置され、およそ前方中央側には支持台２が配置され、安着金型２０が支持台２上に待機状態にあってから中央金型投入部（図面番号を付与せず）を介してロード（ｌｏａｄｉｎｇ）され、加圧成形が完了した後には中央金型投入部（図面番号を付与せず）を介してアンロード（ｕｎｌｏａｄｉｎｇ）できるようになっている。
【００５５】
また、一側部は空気吸入部８０が設置されて内部の粉塵またはガスを吸入し、前記空気吸入部８０から吸入された粉塵またはガスは排気パイプ８１を介して外部へ排出するようになっている。
【００５６】
また、下側には駆動手段６０が多数列に配置され、多数の圧力シリンダー５０（図１参照）を個別に動作させるための動力を伝達するようになっている。
【００５７】
図３は成形完了した車両用ブレーキパッドの斜視図である。
【００５８】
図３に示すように、成形完了したブレーキパッド１は、下側にはバックプレート１Ａが位置し、上側には車両制動時に制動ディスクに直接接触する摩擦材１Ｂが位置し、実際、本考案に係る被成形物の加圧成形装置１００を用いた成形加圧時には、バックプレート１Ａと摩擦材１Ｂが分離された形態で安着金型２０の成形室２１内に配置される。
【００５９】
図４は図１の「Ａ」部分の拡大図である。
【００６０】
図４に示すように、上部金型１０は、フレーム形態の被成形物の加圧成形装置１００（図２参照）の上側に固定された形態をなす。安着金型２０の下部には安着プレート２０ａが装着され、安着金型２０の成形室２１に位置した成形加圧部３０を支持するように構成できる。
【００６１】
そして、成形加圧部３０の昇降により、熱加圧成形の際に、各成形加圧部３０の上面は、安着金型２０の各成形室２１の開放された下側を介して成形室２１の内部へ挿入された後、各成形室２１に配置された仮成形ブレーキパッド１の摩擦材１Ｂに当接して加圧する。このとき、成形加圧部３０の下方には昇降加圧部４１が位置し、成形加圧部３０を昇降するようにする。
【００６２】
また、固定された状態の上部金型１０の支持部１１の下面は、成形室２１の開放された上側を介して成形室２１の内部へ挿入された後、仮成形ブレーキパッド１のバックプレート１Ａに当接して加圧する。
【００６３】
図示した例ではバックプレート１Ａを上側に配置し、摩擦材１Ｂを下側に配置する状態を示しているが、逆に、摩擦材１Ｂを上側に配置し、バックプレートを下側に配置する構造も可能であり、その配置位置に限定されない。
【００６４】
また、図示した例では上部金型１０が固定された状態の例を示しているが、前記上部金型１０の支持部１１を成形加圧部として形成して加圧する形態となるようにその上側に別途の駆動手段を備えて昇降するようにし、安着金型２０の成形室２１の下側には固定された形態としての支持部を形成することもできる。すなわち、前記安着金型２０の各成形室２１の下側には、前記仮成形ブレーキパッド１の下側を支持するための支持部が配置され、前記安着金型２０の各成形室の上側には、前記仮成形ブレーキパッド１の上側を加圧するための成形加圧部が配置されることにより、下方に移動しながら加圧する構造で形成することもできる。
【００６５】
図５は本考案に係る被成形物の加圧成形装置の概略的な分解図である。
【００６６】
図５に示すように、上側には上部金型１０が配置され、前記上部金型１０の下端には多数の支持部１１が形成されることにより、熱加圧成形の際に前記仮成形ブレーキパッド１の上側を支持することができるようになっている。
【００６７】
併せて、前記上部金型１０の多数の位置には、成形室２１の各領域別に前記ブレーキパッドに加わる圧力を測定するための多数のロードセル７０が備えられる。
【００６８】
図示した例では上部金型１０側に多数のロードセル７０が備えられた例を示しているが、安着金型２０の下方の多数の位置に多数のロードセル７０が備えられてもよい。
【００６９】
図示の如く、前記安着金型２０は、略四角形状の成形室２１が、行と列を成すマトリクス（ｍａｔｒｉｘ）状に多数配列され、各仮成形ブレーキパッド１がその内側に配置されて熱加圧成形時に成形が行われる。
【００７０】
すなわち、多数の成形室２１には仮成形ブレーキパッド１が配置されるとともに、加圧成形の際に、上側には上部金型１０の支持部１１が配置され、下側には昇降する成形加圧部３０（図１参照）が対応して配置される。
【００７１】
前記安着金型２０の下側には昇降シリンダー４０が２列に多数配置され、各昇降シリンダー４０の下側には圧力シリンダー５０が配置される。
【００７２】
また、多数の圧力シリンダー５０の下側には、一列に多数配置される多数の駆動手段６０が備えられる。
【００７３】
勿論、上述したように、各駆動手段６０は、駆動源としての駆動モーター６５と、前記駆動モーター６５によって回転するボールスクリュー形態の回動軸６３と、前記回動軸６３が回転すると、前記回動軸に沿って両方向に移動可能な移動部６２と、前記移動部６２の移動に伴って連動し、前記圧力シリンダー５０に加圧力を提供する加圧ロッド６１と、前記ボールスクリュー形態の回動軸６３の回転により前記移動部６２が水平移動できるように前記移動部６２の下端に設けられる水平移動レール６４とを含んで構成される。
【００７４】
また、上述したように、空気吸入部８０が設置されて内部の粉塵またはガスを吸入し、前記空気吸入部８０から吸入された粉塵またはガスは排気管８１を介して外部へ排出するようになっている。
【００７５】
また、本考案の一実施形態に係る被成形物の加圧成形装置１００の一側部には支持台２が配置され、安着金型２０を加圧成形の前後に支持することができるようになっている。
【００７６】
図６は本考案に係る被成形物の加圧成形装置の成形部を示す斜視図である。
【００７７】
図６に示すように、前記安着金型２０には、多数の仮成形ブレーキパッド１が配置されて熱加圧成形が行われるように多数の成形室２１が備えられる。
【００７８】
前記安着金型２０の各成形室２１の上側には、前記仮成形ブレーキパッド１の上側を支持するための支持部１１が配置される。
【００７９】
また、前記安着金型２０の各成形室２１の下側には、前記仮成形ブレーキパッドの下側を加圧するための成形加圧部３０が配置され、成形加圧の際に昇降シリンダー４０の昇降駆動により上方に移動して加圧する。
【００８０】
この時、前記多数の成形加圧部３０は、前記安着金型２０の各成形室２１の直下部に成形室２１と同じ個数だけ設置され、熱加圧成形の際に上昇して、各成形室２１内に配置された仮成形ブレーキパッド１の摩擦材１Ｂ（図３）を加圧する役割を果たす。
【００８１】
また、上部金型１０には加熱のためのヒーター部１２を含み、前記安着金型２０の下方にも加熱のための他のヒーター部２２を含むことにより、熱加圧成形の際に、マトリクス状に列と行をなす中央の金型２０の各成形室２１に熱を伝達して、最大２００℃〜３００℃まで（これに限定されない）仮成形ブレーキパッド１に熱を伝達することができるようにする。
【００８２】
勿論、前述したように、前記ヒーター部１２、２２は面状発熱体を含んで構成され、該面状発熱体は、前記安着金型２０の上面または下面の方向に配置される水平部１２ａ、２２ａ、および前記安着金型２０の側方部を向いて配置される枠部１２ｂ、２２ｂから構成される。
【００８３】
また、前記成形加圧部３０は、その下側に位置する略板状の昇降加圧部４１によって昇降する。
【００８４】
併せて、前記安着金型２０の上方の多数の位置には、成形室２１の各領域別に仮成形ブレーキパッド１に加わる圧力を測定するための多数のロードセル７０が備えられる。
【００８５】
図７は本考案に係る被成形物の加圧成形装置の駆動部およびロードセルによる駆動制御状態を示す斜視図である。
【００８６】
図７に示すように、前記駆動手段６０は、下側に多数列に配置され、それぞれ、駆動源しての駆動モーター６５と、前記駆動モーター６５によって回転するボールスクリュー形態の回動軸６３と、前記回動軸６３が回転すると、前記回動軸に沿って両方向に移動可能な移動部６２と、前記移動部６２の移動に伴って連動し、前記圧力シリンダー５０に加圧力を提供する加圧ロッド６１と、ボールスクリュー形態の回動軸６３の回転により前記移動部６２が水平移動できるように前記移動部６２の下端に設けられる水平移動レール６４とを含んで構成される。
【００８７】
また、前記安着金型２０の上方の多数の位置には、各領域別に前記ブレーキパッド１に加わる圧力を測定するための圧力測定部が備えられる。前記圧力測定部は、多数のロードセル７０または後述の圧力センサー（図示せず）を含むことができる。
【００８８】
また、図示してはいないが、前記ロードセル７０の測定値の入力を受ける制御部（図示せず）をさらに含むことができる。前記制御部は、前記多数のロードセル７０から入力された各領域別の加圧力を測定し、加圧力が基準値に比べて高い或いは低い領域に対応する前記成形加圧部３０（図６参照）を昇降させる前記昇降シリンダー４０に連結された前記圧力シリンダー６０の前記加圧ロッド６１を引き込み或いは引き出すために、前記駆動モーター６５を正回転または逆回転させて当該領域の加圧力を減少または増大させて各成形室２１別に圧力分布を均一に制御することができる。
【００８９】
ここで、図示した例ではブレーキパッド１に加わる圧力を測定するための多数のロードセル７０が備えられた例を示しているが、前記ロードセル７０の代わりに、公知の圧力センサーまたは距離検出センサーを設置して、各領域別の仮成形ブレーキパッド１に加わる圧力が一定圧以下または以上である場合に応じて加圧力を減少または増大させるように、電気回路的に前記制御部に接続された構造を取ることもできる。前記距離検出センサーは、例えば、変位センサーの一種であるＬＶＤＴ（Ｌｉｎｅａｒ  Ｖａｒｉａｂｌｅ  Ｄｉｆｆｅｒｅｎｔｉａｌ  Ｔｒａｎｓｆｏｒｍｅｒ）などで構成できる。ＬＶＤＴは、磁気的原理を利用したセンサーであって、簡単なｓｅａｒｃｈ  ｃｏｉｌから超伝導現象を利用したＳＱＩＤ（Ｓｕｐｅｒ  ｃｏｎｄｕｃｔｉｎｇ  Ｑｕａｎｔｕｍ  Ｉｎｔｅｒｆｅｒｅｎｃｅ  Ｄｅｖｉｃｅ）まで多種多様である。このようなＬＶＤＴは、非接触検知が可能であり、比較的値も安いため、変位、圧力、液位、荷重、振動などの測定に使われている。
【００９０】
一方、前記制御部（図示せず）は、駆動モーター６５を一定の回転数だけ正回転および逆回転させる動作を繰り返すように制御して、成形加圧部３０が安着金型２０の各成形室２１で一定間隔上下方に繰り返し移動するように制御することができる。このように成形加圧部が安着金型２０の各成形室２１の内部で上下方に繰り返し移動すると、安着金型２０の各成形室２１内のガスが外部へ排出されるガス抜き作業が行われる。このように、本考案は、成形加圧部３０を上下方に繰り返し移動させることにより、仮成形ブレーキパッド１を加圧する過程で発生するガスを成形室２１の外部へ容易に抜くことができるという効果がある。
【００９１】
図８は本考案に係る被成形物の加圧成形装置の駆動動作状態を示す概略的な動作状態図である。
【００９２】
図８に示すように、前記成形加圧部３０は、各昇降シリンダー４０に２つずつ配置され、昇降シリンダー４０の昇降によって連動して動くことができるようになっている。
【００９３】
図８では、１つの昇降シリンダー４０上に配置される１つの板状の昇降加圧部４１に２つの成形加圧部３０が形成されて加圧を行うようになっている。勿論、図示した例では、一つの昇降加圧部４１に２つの成形加圧部３０が形成された構造を示しているが、３つ以上の成形加圧部３０が形成されてもよい。
【００９４】
一方、上述したように、前記圧力シリンダー５０は、前記昇降シリンダー４０よりも薄くて長い形状をし、大きなストローク長さを有し、前記圧力シリンダー５０からの加圧力の供給を受けるように連結された前記昇降シリンダー４０は、前記圧力シリンダーよりも厚くて短い形状をし、小さなストローク長さを有するようにして、前記圧力シリンダー５０における大きなストロークによる加圧力が前記昇降シリンダー３０に供給されながら、相対的に大きな加圧力の小さなストロークで外部加圧されるようにする。
【００９５】
前記多数の昇降シリンダー４０の下側には増圧流路３が設置され、その下側に配置される多数の圧力シリンダー５０のシリンダー圧力によって増圧されて昇降することが好ましいが、これに限定されない。
【００９６】
前記駆動手段６０の動作は、前記駆動手段６０の駆動モーター６５を動作（正回転または逆回転）させて回動軸６３が回転動作をすると、移動部６２がその下側の水平移動レール６４に沿って右へ移動する。これにより、移動部６２の上側に一体に連結された水平加圧ロッド６１が右へ移動して、駆動力を圧力シリンダー５０へ伝達するのである。
【００９７】
図９は本考案に係る被成形物の加圧成形装置の昇降加圧部の他の例を示す概略図である。
【００９８】
図９に示すように、前記昇降加圧部４２には前記成形加圧部が多数個（図示した例では４つ）形成されるが、一つの昇降加圧部４２は、２つの昇降シリンダー４０が加圧して昇降させることができるようになっている。
【００９９】
勿論、図示した例では、一つの昇降加圧部４２を２つの昇降シリンダー４０によって加圧する構造を示しているが、３つ以上の昇降シリンダー４０によって一つの昇降加圧部４２を加圧する構造も可能である。
【０１００】
次に、上述したような本考案の一実施形態に係る被成形物の加圧成形装置１００を用いた車両用ブレーキパッド成形方法について説明する。
【０１０１】
まず、バックプレート１Ａ（図３参照）と摩擦材１Ｂが分離された状態での仮成形された多数の仮成形ブレーキパッド１のバックプレート１Ａは上側に、摩擦材（１Ｂ、図３参照）は下側に分離された状態で、安着金型２０の多数の成形室２１に上下に位置させた後、安着金型投入部（図面番号を付与せず）を介して上部金型１０と多数の成形加圧部３０との間に配置させて熱加圧成形準備をする（図１および図２参照）。
【０１０２】
この時、前記上部金型１０は、フレーム形態の被成形物の加圧成形装置１００の上側に固定された形態を成し、多数の成形加圧部３０の昇降により、熱加圧成形の際に、各成形加圧部３０の上面が仮成形ブレーキパッド１の下面に当接して加圧すると同時に、固定された状態の上部金型１０の上部成形加圧部１１の下面は仮成形ブレーキパッド１のバックプレート１Ａに当接して加圧する構造である（図４参照）。
【０１０３】
続いて、仮成形ブレーキパッド１の熱加圧成形のために、本考案の一実施形態に係る被成形物の加圧成形装置１００の下側に前後方向に一列に配置された各駆動手段６０の駆動モーター６５を動作させて回動軸６３が回転動作をすると、移動部６２がその下側に水平移動レール６４に沿って右へ移動する。これにより、移動部６２の上側に一体に連結された水平加圧ロッド６１が右へ移動する（図７参照）。
【０１０４】
この時、回動軸６３の上昇速度はおよそ３２ｍｍ／ｓであることが好ましいが、これに限定されない。
【０１０５】
続いて、水平加圧ロッド６１が右へ移動すると、当該圧力シリンダー５０の内部が右へ加圧されて増圧流路３を介して２次加圧されながら上側への上昇加圧力が発生し、各昇降シリンダー４０は上側に３次加圧されて大きな増圧がなされ、昇降加圧部４１を押し上げて成形加圧部３０に伝達される（図８参照）。
【０１０６】
ここで、回動軸６３の上昇速度がおよそ３２ｍｍ／ｓであることを勘案する場合、昇降シリンダー４０の最大油圧上昇速度は４ｍｍ／ｓであり、圧力は９６０ｋｇｆ／ｃｍ２（最初内部圧力１２０ｋｇｆ／ｃｍ２）に増圧できるため、各昇降シリンダー４０の推力はおよそ４３．７５トンであるから、総和が３５０トンにまで上昇する標準仕様を使用することができる。
【０１０７】
次いで、各昇降シリンダー４０の上側に配置された成形加圧部３０は、昇降シリンダー４０の加圧力によって上昇し、各成形室２１内に配置された仮成形ブレーキパッド１の摩擦材１Ｂを加圧すると同時に上昇し、固定された上部金型１０の上部成形加圧部１１側に移動して、最終的に上部金型１０の上部成形加圧部１１の下面は仮成形ブレーキパッド１のバックプレート１Ａを加圧し、成形加圧部３０は仮成形ブレーキパッド１の摩擦材１Ｂを加圧することにより、熱加圧成形が行われる（図４参照）。
【０１０８】
この時、仮成形ブレーキパッド１の上下幅はおよそ２５ｍｍであるが、熱加圧成形が完了した場合、約１０ｍｍまで加圧されて成形される（図３参照）。
【０１０９】
勿論、上部金型１０と安着金型２０には、限定されないが、最大２００〜３００℃まで仮成形ブレーキパッド１に熱を伝達することができるようにヒーター１２、２２が備えられ、それにより、熱伝達による熱加圧によって完成成形品が作られる。
【０１１０】
多数のロードセル７０（または圧力センサー）では、図６に示すように、当該昇降シリンダー４０の圧力を個別に測定し、仮成形品の含量超過または含量未満により当該成形パンチの上昇幅が変更されても、制御部（図示せず）によって圧力分布を均一に制御することができるようにする。
【０１１１】
最終的に、前記熱加圧成形を介して成形完了したブレーキパッド１が製造されると、各駆動モーター６５を動作させて回動軸６３を熱加圧成形時の反対方向に回転させて水平加圧ロッド６１を左へ水平移動させ、これと連動した昇降シリンダー４０および成形加圧部３０を下降させ、成形完了した製品を持つ安着金型２０をアンロードして各成形室２１から成形完了製品を取り出す。
【０１１２】
図１０は本考案の一実施形態に係る被成形物の加圧成形装置に備えられる距離検出センサーと圧力センサーを説明するために示す概略図である。
【０１１３】
図１０を参照すると、距離検出センサー４５は、昇降シリンダー４０の位置変化を検出するもので、例えば、変位センサー、ＬＶＤＴ（Ｌｉｎｅａｒ  Ｖａｒｉａｂｌｅ  Ｄｉｆｆｅｒｅｎｔｉａｌ  Ｔｒａｎｓｆｏｒｍｅｒ）などから構成できる。ＬＶＤＴは図７で詳細に説明したので、これについての詳細な説明は省略する。ＬＶＤＴは昇降シリンダー４０の位置変化に伴うデータの変化を用いて昇降シリンダー４０の移動距離または位置変位を検出し、検出されたデータの変化は制御部（図示せず）へ伝達される。
【０１１４】
圧力センサー４６は、昇降シリンダー４０に伝達される圧力を検出するもので、圧力シリンダー５０と昇降シリンダー４０との間を連結する増圧流路３に設置できる。このような圧力センサー４６は、圧力シリンダー５０から昇降シリンダー４０に伝達される圧力を検出して前記制御部へ伝達する。
【０１１５】
距離検出センサー４５または圧力センサー４６が検出した結果が前記制御部に伝達されると、前記制御部は、駆動モーター６５（図５参照）を正回転または逆回転させて昇降加圧部４１を上昇または下降させるように制御する。そうすると、昇降加圧部４１に連結された成形加圧部３０が安着金型２０の方向に昇降しながら、安着金型２０に収容された被成形物を熱加圧する。
【０１１６】
図１１は本考案の他の実施形態に係る被成形物の加圧成形装置を示す側面図である。
【０１１７】
本実施形態では、上部金型１１０が固定された状態ではなく、下側に加圧形態を加える点で、上述した一実施形態とは相違し、同一の構成については同一の符号を付してその相違点を中心に説明する。
【０１１８】
すなわち、図１１に示すように、前記安着金型２０の上側に位置する上部金型１１０は、その下部、すなわち下側面に独立して昇降する上側成形加圧部１１１が形成され、前記上側成形加圧部１１１を下方に加圧する多数の上側昇降シリンダー１４０をさらに備える。
【０１１９】
勿論、前記安着金型２０の下側には、前記上側成形加圧部１１１に対応する成形加圧部としての下側成形加圧部１３０を含む。
【０１２０】
また、前記下側成形加圧部１３０を上方に加圧させる下側昇降シリンダー１５０は、一実施形態と同様に形成されることが好ましい。
【０１２１】
それ以外の構成は実質的に一実施形態と同様であるので、敷衍説明は省略する。
【０１２２】
図１２は本考案の他の実施形態に係る被成形物の加圧成形装置の成形部を示す斜視図である。
【０１２３】
図１２に示すように、安着金型２０の各成形室２１の上側には、仮成形ブレーキパッド１の上側を加圧するための多数の上側成形加圧部１１１が配置される上部金型１１０が配置される。
【０１２４】
前記上部金型１１０上には、マトリクス状に行と列を成して各上側成形加圧部１１１を下方に加圧するように多数の上側昇降シリンダー１４０が配置される。
【０１２５】
一方、前記安着金型２０の各成形室２１の下側には、前記仮成形ブレーキパッド１の下側を加圧するための下側成形加圧部１３０が配置される。これにより、成形加圧の際に、下側成形加圧部１３０が下側昇降シリンダー１５０の昇降駆動により上方に移動して加圧を行う。
【０１２６】
このとき、前記相互対応する多数の上側および下側成形加圧部１１１、１３０は、前記安着金型２０の各成形室２１の直上部および直下部に成形室２１と同じ個数だけ設置され、熱加圧成形の際に上昇して、各成形室２１内に配置された仮成形ブレーキパッド１を上下に加圧する役割を果たす。
【０１２７】
図１３は図１１の「Ｂ」部分の拡大図である。
【０１２８】
図１３に示すように、上側昇降シリンダー１４０の下降運動によって上部金型１１０の上側成形加圧部１１１が下降して仮成形ブレーキパッド１のバックプレート１Ａ側に対応して加圧し、装置の下部に位置する下側昇降シリンダー１５０の昇降駆動により略板状の昇降加圧部１５１が下側成形加圧部１３０を上昇させて仮成形ブレーキパッド１の摩擦材１Ｂを加圧することにより、成形物、すなわちブレーキパッドが完成される。
【０１２９】
図１４は本考案の他の実施形態に係る被成形物の加圧成形装置の成形部の昇降駆動状態を示す部分斜視図である。
【０１３０】
図１４に示した例では、上側昇降シリンダー１４０は、下側に位置する下側昇降シリンダー１５０より相対的にサイズが小さく形成され、上側に位置する各上側昇降シリンダー１４０は、上側成形加圧部１１１を介して安着金型２０の成形室２１と同じ個数だけ形成されるが、下側に位置する各下側昇降シリンダー１５０は、その上側に形成される４つの成形加圧部１３０を介して総４つの成形室２１に対応するようにしている。
【０１３１】
このように、下側に位置する昇降シリンダー４０とは異なり、上部金型の上側成形加圧部１１１を昇降駆動する上側昇降シリンダー１４０を安着金型２０の成形室２１と同じ個数だけ配置する理由は、各成形室２１に配置される各仮成形ブレーキパッド１を上側で１：１の成形が行われるようにして成形製品の硬度および接着強度の精度をさらに向上させることができるためである。ところが、状況に応じては、前記上側昇降シリンダー１４０も、下側に位置する下側昇降シリンダー１５０と同様に、多数の上側成形加圧部１１１を備えて昇降駆動することもできる。
【０１３２】
図１５は本考案の他の実施形態に係る被成形物の加圧成形装置の成形部を示す断面図である。
【０１３３】
図１５に示すように、安着金型２０の各成形室２１の上側には上部金型１０が配置される。上部金型１０の下側には仮成形ブレーキパッド１の上側、すなわちバックプレート１Ａを加圧するための多数の支持部１１ａが配置される。このとき、支持部１１ａは成形室２１の幅よりも大きい幅に形成される。よって、支持部１１ａは成形室２１ａに挿入されていない状態で安着金型２０の上部を覆うように位置する。この状態で成形加圧部３０が上方に移動して仮成形ブレーキパッド１への加圧が行われる。
【０１３４】
図１６は本考案の他の実施形態に係る被成形物の加圧成形装置の駆動手段を説明するために示す概略図である。
【０１３５】
図１６を参照すると、前記図８の圧力シリンダー５０（図８参照）と駆動手段６０（図８参照）なしに、別途の駆動手段６７を用いて昇降シリンダー４０に圧力を供給するように構成される。
【０１３６】
駆動手段６７は、昇降シリンダー４０へエアまたはオイルを供給する流体供給部６７ａと、流体供給部６７ａを介して供給される空気またはオイルの量を調節することができるように調節する圧力調節部６７ｂとを含む。そして、圧力調節部６７ｂを用いて流体供給部６７ａが昇降シリンダー４０へ供給するエアまたは流体の量を調節することにより、昇降シリンダー４０に連結された成形加圧部３０が上下に移動して、安着金型２０に位置した仮成形ブレーキパッド１への加圧が行われる。
【０１３７】
このように、本考案は、圧力シリンダー５０を省略し、簡単に形成される駆動手段６７を用いて昇降シリンダー４０を上下に移動させることができるので、構成が簡単になり、これにより全体サイズが小さくなるという効果がある。
【０１３８】
一方、昇降シリンダー４０には距離検出センサー４５が備えられ、流体供給部６７ａには圧力センサー４６が備えられてもよい。距離検出センサー４５および圧力センサー４６は、図１０で説明した構成と同様なので、これについての詳細な説明は省略する。そして、距離検出センサー４５または圧力センサー４６が検出した結果は制御部（図示せず）に伝達され、前記制御部は圧力調節部６７ｂを制御する。そうすると、流体供給部６７ａから昇降シリンダー４０へ供給されるエアまたは流体の量が調節されて昇降加圧部４１の上昇または下降が調節され、これにより、昇降加圧部４１に連結された成形加圧部３０が安着金型２０の方向に昇降しながら、安着金型２０に収容された被成形物を熱加圧する。
【０１３９】
本考案は、様々に異なる形態で実施でき、前記説明された実施形態に限定されるものではない。図面において、本考案を明確に説明するために、説明と関係のない部分は省略した。以上、本考案の実施形態について詳細に説明したが、本考案の権利範囲はこれらに限定されるものではない。特許請求の範囲で定義している本考案の基本的な概念を利用した当業者の様々な変形及び改良形態も、本考案の権利範囲に属するのである。
【符号の説明】
【０１４０】
１００    本考案に係る被成形物の加圧成形装置
１    仮成形ブレーキパッド
１Ａ    バックプレート
１Ｂ    摩擦材
２    支持台
３    増圧流路
１０、１１０    上部金型
１１    支持部
１２、２２    ヒーター部
１２ａ、２２ａ    水平部
１２ｂ、２２ｂ    枠部
２０    安着金型
２１    成形室
３０    成形加圧部
４０、１４０    昇降シリンダー
４１、１５１    昇降加圧部
４５    距離検出センサー
４６    圧力センサー
５０    圧力シリンダー
６０    駆動手段
６１    水平加圧ロッド
６２    移動部
６３    回動軸
６４    水平移動レール
６５    駆動モーター
７０    ロードセル
８０    空気吸入部
８１    排気パイプ
１１１    上側成形加圧部
１３０    下側成形加圧部
１５０    下側昇降シリンダー
【図１】
0003203534.tif 000003
【図２】
0003203534.tif 000004
【図３】
0003203534.tif 000005
【図４】
0003203534.tif 000006
【図５】
0003203534.tif 000007
【図６】
0003203534.tif 000008
【図７】
0003203534.tif 000009
【図８】
0003203534.tif 000010
【図９】
0003203534.tif 000011
【図１０】
0003203534.tif 000012
【図１１】
0003203534.tif 000013
【図１２】
0003203534.tif 000014
【図１３】
0003203534.tif 000015
【図１４】
0003203534.tif 000016
【図１５】
0003203534.tif 000017
【図１６】
0003203534.tif 000018